(57)【要約】【課題】本発明は、便器本体枠の側面や便器本体枠の内部にスペースを確保することが困難な場合であっても、専用の掛止孔を別途設けることなく、簡易便器の便器本体枠の所定箇所に取り付けることができる収納ポケットを提供することを課題とする。【解決手段】収納ポケット本体１４の一方の上辺から断面Ｌ字形の鉤部材１５を外側に向けて差し出し、該収納ポケット本体１４の側面と該鉤部材１５の垂直部２１とで簡易便器の便器本体枠の所定箇所を挟持することによって該便器本体枠の所定箇所に取り付ける収納ポケット１２であって、該鉤部材１５は該収納ポケット本体１４の上辺に突出および引込み可能に取り付けられており、該便器本体枠の所定箇所の厚みによって該鉤部材１５を突出または引き込ませて挟持幅を調節可能とした収納ポケット１２を提供する。【選択図】    図５
2006087723.tif 000002
【特許請求の範囲】
【請求項１】
収納ポケット本体の一方の上辺から断面Ｌ字形の鉤部材を外側に向けて差し出し、該収納ポケット本体の側面と該鉤部材の垂直部とで簡易便器の便器本体枠の所定箇所を挟持することによって該便器本体枠の所定箇所に取り付ける収納ポケットであって、
該鉤部材は該収納ポケット本体の上辺に突出および引込み可能に取り付けられており、該便器本体枠の所定箇所の厚みによって該鉤部材を突出または引き込ませて挟持幅を調節可能としたことを特徴とする収納ポケット。
【請求項２】
該収納ポケット本体の一方の上辺から略水平にスライド板を差し出し、該鉤部材の水平部を該スライド板に突出および引込み方向にスライド可能に取り付けた請求項１に記載の収納ポケット。
【請求項３】
該スライド板の両側縁には嵌合溝が設けられており、該鉤部材の水平部の両端は該嵌合溝にスライド可能に嵌着されている請求項２に記載の収納ポケット。
【請求項４】
該スライド板の上面には横方向に複数個の丸角係止突起が形成されており、該鉤部材の水平部の内端縁は下方に屈曲されて係止縁部が形成され、該鉤部材の係止縁部が該スライド板の丸角係止突起のいずれかに係止されることによって該鉤部材は所定の挟持幅に固定される請求項２または請求項３に記載の収納ポケット。
【請求項５】
該便器本体枠は前板と左右側板と背板とからなり、該収納ポケットは該左右側板の上縁または該背板の上縁に該鉤部材を介して取り付けられる請求項１〜請求項４のいずれかに記載の収納ポケット。
【発明の詳細な説明】
【技術分野】
【０００１】
本発明は、簡易便器の便器本体枠に取り付けられる収納ポケットに関する。
【背景技術】
【０００２】
従来、消臭剤などの小物を入れるための簡易便器の収納部には、便器本体の側面に開閉自在に設けられているものがある（特許文献１参照）。
また、トイレットペーパーや蓋体や小物品の種類に応じてホルダの種類を選択し、該ホルダのフックを便器本体の側面の掛止孔に差し込んで掛止保持するものも一般に提供されている（特許文献２参照）。
【０００３】
【特許文献１】登録意匠第８９９０４８号公報
【特許文献２】特開２００２−１９１５３１号公報（第９頁、第２６図）
【発明の開示】
【発明が解決しようとする課題】
【０００４】
しかしながら上記従来の収納部では、便器本体の側面や便器本体の内部に該収納部を設けるためのスペースを確保する必要があるが、最近の簡易便器のなかには脚部や肘掛けの高さ調節機構が設けられたものや有底の便バケツ受けが備えられたものがあり、該収納部を設けるためのスペースを確保することができない場合があるという問題があった。
また、上記従来のホルダでは、該ホルダを掛止保持するためだけに便器本体の側面に掛止孔を別途設ける必要があるという問題もあった。
【課題を解決するための手段】
【０００５】
本発明は上記従来の課題を解決するための手段として、収納ポケット本体１４の一方の上辺から断面Ｌ字形の鉤部材１５を外側に向けて差し出し、該収納ポケット本体１４の側面と該鉤部材１５の垂直部２１とで簡易便器１の便器本体枠５の所定箇所を挟持することによって該便器本体枠５の所定箇所に取り付ける収納ポケット１２であって、該鉤部材１５は該収納ポケット本体１４の上辺に突出および引込み可能に取り付けられており、該便器本体枠５の所定箇所の厚みによって該鉤部材１５を突出または引き込ませて挟持幅を調節可能とした収納ポケット１２を提供するものである。
該収納ポケット本体１４の一方の上辺から略水平にスライド板１６を差し出し、該鉤部材１５の水平部２０を該スライド板１６に突出および引込み方向にスライド可能に取り付けたことが望ましい。
また、該スライド板１６の両側縁には嵌合溝１７が設けられており、該鉤部材１５の水平部２０の両端は該嵌合溝１７にスライド可能に嵌着されていることが望ましい。
更に、該スライド板１６の上面には横方向に複数個の丸角係止突起１８が形成されており、該鉤部材１５の水平部２０の内端縁は下方に屈曲されて係止縁部２３が形成され、該鉤部材１５の係止縁部２３が該スライド板１６の丸角係止突起１８のいずれかに係止されることによって該鉤部材１５は所定の挟持幅に固定されることが望ましい。
また更に、該便器本体枠５は前板２と左右側板３と背板４とからなり、該収納ポケット１２は該左右側板３の上縁または該背板４の上縁に該鉤部材１５を介して取り付けられることが望ましい。
【発明の効果】
【０００６】
本発明の収納ポケット１２では、簡易便器１に脚部や肘掛けの高さ調節機構が設けられていたり、有底の便バケツ７受けが備えられていたりして、便器本体枠５の側面や便器本体枠５の内部にスペースを確保することが困難な場合であっても、該収納ポケット本体１４の側面と該鉤部材１５の垂直部２１とで簡易便器１の便器本体枠５の所定箇所を挟持して、簡易便器１の便器本体枠５の所定箇所に取り付けることができる。
また、便器本体枠５の所定箇所の厚みが異なる場合であっても、該便器本体枠５の所定箇所の厚みに応じて該鉤部材１５を突出または引き込ませて挟持幅を調節して、該便器本体枠５に安定に取り付けることができるので、取り付けた状態で収納ポケット１２がぐらつくことがなく、更に、従来のように便器本体枠５に専用の掛止孔を別途設ける必要がない。
【発明を実施するための最良の形態】
【０００７】
本発明を図１〜図７に示す一実施例によって説明する。
図１に示すように、簡易便器１は、前板２と左右側板３と背板４とからなる木製の便器本体枠５と、該便器本体枠５の上面に取り付けられる木製の座枠６と、該座枠６内に挿入懸架される便バケツ７と、該座枠６の後端部に跳ね上げ可能に枢着される便座８と、該便器本体枠５の左右側板３に高さ調節可能に取り付けられる左右一対の肘掛け枠９と、該便器本体枠５の左右側板３の後端上部から立設される背もたれ枠１０と、該便器本体枠５の左右側板３の下部に高さ調節可能に取り付けられる左右一対の脚枠１１とからなる。そして、本実施例の収納ポケット１２は、該左右側板３の上縁または該背板４の上縁に着脱自在に取り付けられている。
【０００８】
図２に示すように、該収納ポケット１２は、二分割された収納部１３を有する合成樹脂製の収納ポケット本体１４と、該収納ポケット本体１４の一方の上辺に突出および引込み可能に取り付けられる合成樹脂製の断面Ｌ字形の鉤部材１５とからなる。
【０００９】
該収納ポケット本体１４の一方の上辺の中央部は凸形状とされており、該一方の上辺の中央部からは外側に向けて略水平にスライド板１６が差し出されている。該スライド板１６の両側縁にはそれぞれ嵌合溝１７が設けられており、また、該スライド板１６の上面の中央部には横方向に２個の丸角係止突起１８が凸設され、更に、該スライド板１６の上面の該丸角係止突起１８よりも外側には抜け止め突起１９が凸設されている。
【００１０】
該断面Ｌ字形の鉤部材１５は水平部２０と垂直部２１とからなる。そして、該鉤部材１５の水平部２０の両端にはそれぞれ嵌合片２２が設けられており、該鉤部材１５の水平部２０の嵌合片２２を該スライド板１６の嵌合溝１７にスライド嵌合させることによって、該鉤部材１５の水平部２０は該スライド板１６に突出および引込み方向にスライド可能に取り付けられている。
また、該鉤部材１５の水平部２０の内端縁は下方に屈曲され、該屈曲された内端縁には係止縁部２３が形成されている。
【００１１】
上記の収納ポケット１２を便器本体枠５の背板４に取り付ける場合には、図３および図４に示すように、該背板４の厚み（本実施例では２０ｍｍ）に応じて該収納ポケット１２の鉤部材１５を引込ませて挟持幅を調節する。本実施例では、該鉤部材１５の係止縁部２３を該スライド板１６の内側の丸角係止突起１８に係止させて、該鉤部材１５を狭い挟持幅（２０ｍｍ）に固定することができる。そして、該収納ポケット本体１４の側面と該鉤部材１５の垂直部２１とで簡易便器１の便器本体枠５の背板４を挟持することによって、該便器本体枠５の背板４に該収納ポケット１２を取り付ける。
このとき、該収納ポケット本体１４のスライド板１６の抜け止め突起１９の外側面は緩やかな傾斜面に設定されているので、該鉤部材１５を該スライド板１６にスライドさせて嵌着するときに、該鉤部材１５の係止縁部２３は容易に該スライド板１６の抜け止め突起１９を乗り越えることができる。
また、該収納ポケット本体１４のスライド板１６の丸角係止突起１８は丸角形状とされているので、該鉤部材１５を該スライド板１６にスライドさせて嵌着するときには、若干強い力で該鉤部材１５を押し込めば、該鉤部材１５の係止縁部２３は該スライド板１６の丸角係止突起１８を乗り越える一方、該鉤部材１５の係止縁部２３を該スライド板１６の内側の丸角係止突起１８に係止させて挟持幅を調節した後は、多少の力では該鉤部材１５の係止縁部２３が該スライド板１６の丸角係止突起１８を乗り越えることはない。
【００１２】
上記の収納ポケット１２を便器本体枠５の左右側板３に取り付ける場合には、図５および図６に示すように、該左右側板３の厚み（本実施例では３３ｍｍ）に応じて該収納ポケット１２の鉤部材１５を突出させて挟持幅を調節する。本実施例では、該鉤部材１５の係止縁部２３を該スライド板１６の外側の丸角係止突起１８に係止させて、該鉤部材１５を広い挟持幅（３３ｍｍ）に固定することができる。そして、該収納ポケット本体１４の側面と該鉤部材１５の垂直部２１とで簡易便器１の便器本体枠５の左右側板３を挟持することによって、該便器本体枠５の左右側板３に該収納ポケット１２を取り付ける。
このとき、該収納ポケット本体１４のスライド板１６の抜け止め突起１９の内側面は急な傾斜面に設定されているので、該鉤部材１５の係止縁部２３が該スライド板１６の抜け止め突起１９を乗り越えることがない。
また、該収納ポケット本体１４のスライド板１６の丸角係止突起１８は丸角形状とされているので、該鉤部材１５を突出させるときには、若干強い力で該鉤部材１５を引っ張れば、該鉤部材１５の係止縁部２３は該スライド板１６の丸角係止突起１８を乗り越える一方、該鉤部材１５の係止縁部２３を該スライド板１６の外側の丸角係止突起１８に係止させて挟持幅を調節した後は、多少の力では該鉤部材１５の係止縁部２３が該スライド板１６の丸角係止突起１８を乗り越えることはない。
【００１３】
上記の収納ポケット１２では、簡易便器１の脚枠１１や肘掛け枠９に高さ調節機能が設けられていたり、座枠６に有底の便バケツ受け（図示せず）が備えられていたりして、便器本体枠５の側面や便器本体枠５の内部に十分なスペースを確保することが困難な場合であっても、該収納ポケット本体１４の側面と該鉤部材１５の垂直部２１とで簡易便器１の便器本体枠５の所定箇所を挟持して、簡易便器１の便器本体枠５の所定箇所に取り付けることができる。
また、便器本体枠５の左右側板３や背板４の厚みが異なる場合であっても、該左右側板３や該背板４の厚みに応じて該鉤部材１５を突出または引き込ませて挟持幅を調節して、該便器本体枠５に安定に取り付けることができるので、取り付け場所を自由に選択することができるとともに、取り付けた状態で収納ポケット１２がぐらつくことがなく、更に、従来のように便器本体枠５に専用の掛止孔を別途設ける必要がない。
【００１４】
そして、上記の収納ポケット１２は便器本体枠５から着脱自在とされているため、該収納ポケット１２が不要な場合には取り外すことができる。
また、上記の収納ポケット１２では、収納部１３が二分割されているので、一方の収納部１３には消臭剤などの小物を入れるとともに、他方の収納部１３には便バケツ７の蓋２４を収納することができる（図７参照）。
【００１５】
その上、該収納ポケット本体１４の一方の上辺から略水平にスライド板１６が差し出され、該鉤部材１５の水平部２０が該スライド板１６に突出および引込み方向にスライド可能に取り付けられているので、該鉤部材１５の水平部２０が該収納ポケット１２のスライド板１６に安定に支持される。
また、該スライド板１６の両側縁に嵌合溝１７が設けられており、該鉤部材１５の水平部２０の両端が該嵌合溝１７にスライド可能に嵌着されているので、該鉤部材１５を突出または引き込ませて挟持幅を調節する際に、該鉤部材１５のスライド動作が該スライド板１６によって円滑にガイドされる。
更に、該鉤部材１５を所定の挟持幅にしたときに、該鉤部材１５の係止縁部２３が該スライド板１６の丸角係止突起１８のいずれかに係止されるので、該鉤部材１５が該所定の挟持幅に確実かつ安定に固定される。
【００１６】
以上、本発明の実施の形態を実施例により説明したが、本発明の範囲はこれらに限定されるものではなく、請求項に記載された範囲内において目的に応じて変更・変形することが可能である。
【産業上の利用可能性】
【００１７】
本発明は、便器本体枠の側面や便器本体枠の内部にスペースを確保することが困難な場合であっても、専用の掛止孔を別途設けることなく、簡易便器の便器本体枠の所定箇所に取り付けることができる収納ポケットとして、産業上利用することが出来る。
【図面の簡単な説明】
【００１８】
【図１】収納ポケットを簡易便器に取り付けた様子を示すの斜視図である。
【図２】収納ポケットの分解斜視図である。
【図３】挟持幅を狭くした状態の収納ポケットの斜視図である。
【図４】挟持幅を狭くした状態の収納ポケットの説明断面図である。
【図５】挟持幅を広くした状態の収納ポケットの斜視図である。
【図６】挟持幅を広くした状態の収納ポケットの説明断面図である。
【図７】収納ポケットに便バケツの蓋を収納した様子を示す斜視図である。
【符号の説明】
【００１９】
１  簡易便器
２  前板
３  左右側板
４  背板
５  便器本体枠
１２  収納ポケット
１４  収納ポケット本体
１５  鉤部材
１６  スライド板
１７  嵌合溝
１８  丸角係止突起
２０  水平部
２１  垂直部
２３  係止縁部
【図１】
2006087723.tif 000003
【図２】
2006087723.tif 000004
【図３】
2006087723.tif 000005
【図４】
2006087723.tif 000006
【図５】
2006087723.tif 000007
【図６】
2006087723.tif 000008
【図７】
2006087723.tif 000009